(57)【要約】      （修正有）【課題】データ伝送方法、端末及び基地局を開示し、アンライセンス搬送波が独立して動作するシーンでフィードバック情報を伝送する実行可能な方法を提供する。【解決手段】方法は、端末がアンライセンス搬送波におけるアップリンク伝送のためのＭ個の時間単位とアンライセンス搬送波におけるダウンリンク伝送のためのＮ個の時間単位を確定し（ＭとＮは正整数）、端末がＮ個の時間単位で、基地局から送信されたダウンリンクデータを受信することと、端末がＭ個の時間単位における第一の時間単位で、基地局へＮ個の時間単位における先頭のＫ個の時間単位のダウンリンクデータに対応するフィードバック情報を送信し（ＫはＮ以下の正整数）、第一の時間単位が先頭のＫ個の時間単位の後に位置し、第一の時間単位の開始時点と先頭のＫ個の時間単位における最後の時間単位の開始時点との差がシステムのフィードバック処理遅延以上であることとを含む。【選択図】図９
2020022167.tif 000002
【特許請求の範囲】
【請求項１】
データ伝送方法であって、
端末がアンライセンス搬送波におけるアップリンク伝送のためのＭ個の時間単位と前記アンライセンス搬送波におけるダウンリンク伝送のためのＮ個の時間単位を確定し、ここで、Ｍが正整数であり、Ｎが正整数であることと、
前記端末が前記Ｎ個の時間単位で、基地局から送信されたダウンリンクデータを受信することと、
前記端末が前記Ｍ個の時間単位における第一の時間単位で、前記基地局へ前記Ｎ個の時間単位における先頭のＫ個の時間単位のダウンリンクデータに対応するフィードバック情報を送信し、ここで、ＫがＮ以下の正整数であり、前記第一の時間単位が前記先頭のＫ個の時間単位の後に位置し、前記第一の時間単位の開始時点と前記先頭のＫ個の時間単位における最後の時間単位の開始時点との差がシステムのフィードバック処理遅延以上であることと、
前記端末が前記基地局から送信された別のシグナリングを受信し、前記別のシグナリングは、前記Ｎ個の時間単位におけるＫ番目の時間単位の後の時間単位のダウンリンクデータに対応するフィードバック情報の送信方式を指示することと、
前記端末が前記別のシグナリングによって指示される送信方式に基づいて前記Ｎ個の時間単位におけるＫ番目の時間単位の後の時間単位のダウンリンクデータに対応するフィードバック情報を前記基地局に送信することとを含む、前記データ伝送方法。
【請求項２】
前記第一の時間単位は前記Ｍ個の時間単位における最後の時間単位であることを特徴とする
請求項１に記載の方法。
【請求項３】
前記方法は、
前記端末が前記Ｎ個の時間単位の開始時点で指示情報を受信し、前記指示情報がダウンリンク伝送のための前記Ｎ個の時間単位とアップリンク伝送のための前記Ｍ個の時間単位を示すことに用いられることをさらに含むことを特徴とする
請求項１乃至２のいずれか１項に記載の方法。
【請求項４】
前記ダウリンクデータはブロードキャスト情報、同期信号、基準信号、ダウンリンク制御シグナリングとダウンリンクサービスデータのうちの少なくとも一つを含むことを特徴とする
請求項１乃至３のいずれか１項に記載の方法。
【請求項５】
前記ダウンリンク制御シグナリングはスケジューリング情報を含み、前記スケジューリング情報が前記Ｍ個の時間単位のアップリンク伝送をスケジューリングすることに用いられることを特徴とする
請求項４に記載の方法。
【請求項６】
前記Ｎ個の時間単位におけるアップリンク伝送スケジューリングのための各時間単位で送信されたスケジューリング情報は、前記Ｍ個の時間単位における一つの時間単位のアップリンク伝送をスケジューリングすることに用いられることを特徴とする
請求項５に記載の方法。
【請求項７】
前記Ｎ個の時間単位におけるアップリンク伝送スケジューリングのための各時間単位で送信されたスケジューリング情報は、前記Ｍ個の時間単位における複数の時間単位のアップリンク伝送をスケジューリングすることに用いられることを特徴とする
請求項５に記載の方法。
【請求項８】
前記端末が前記Ｍ個の時間単位における第一の時間単位で、前記基地局へ前記Ｎ個の時間単位における先頭のＫ個の時間単位のダウンリンクデータに対応するフィードバック情報を送信することは、
前記端末が時間単位順番に従って、カスケード配列されたＣ×Ｋビット情報を生成して前記フィードバック情報とし、ここで、Ｃがシステムのダウンリンク伝送によってサポートされる最大コードワード数であること、
前記端末が前記第一の時間単位で、前記基地局へ前記フィードバック情報を送信することを含むことを特徴とする
請求項１乃至７のいずれか１項に記載の方法。
【請求項９】
前記時間単位はサブフレーム又はタイムスロットであることを特徴とする
請求項１乃至８のいずれか１項に記載の方法。
【請求項１０】
データ伝送方法であって、
基地局が前記アンライセンス搬送波におけるアップリンク伝送のためのＭ個の時間単位と前記アンライセンス搬送波におけるダウンリンク伝送のためのＮ個の時間単位を確定し、ここで、Ｍが正整数であり、Ｎが正整数であることと、
前記基地局が前記Ｎ個の時間単位で、端末へダウンリンクデータを送信することと、
前記基地局が前記Ｍ個の時間単位における第一の時間単位で、前記端末から送信された前記Ｎ個の時間単位における先頭のＫ個の時間単位のダウンリンクデータに対応するフィードバック情報を受信し、ここで、ＫがＮ以下の正整数であり、前記第一の時間単位が前記先頭のＫ個の時間単位の後に位置し、前記第一の時間単位の開始時点と前記先頭のＫ個の時間単位における最後の時間単位の開始時点との差がシステムのフィードバック処理遅延以上であることと、
前記基地局が前記端末に別のシグナリングを送信し、前記別のシグナリングは、前記Ｎ個の時間単位におけるＫ番目の時間単位の後の時間単位のダウンリンクデータに対応するフィードバック情報の送信方式を指示することと、
前記基地局が前記端末から送信された前記Ｎ個の時間単位におけるＫ番目の時間単位の後の時間単位のダウンリンクデータに対応するフィードバック情報を受信することとを含む、前記データ伝送方法。
【請求項１１】
端末であって、
前記アンライセンス搬送波におけるアップリンク伝送のためのＭ個の時間単位と前記アンライセンス搬送波におけるダウンリンク伝送のためのＮ個の時間単位を確定するように構成され、ここで、Ｍが正整数であり、Ｎが正整数である確定モジュールと、
前記確定モジュールにより確定された前記Ｎ個の時間単位で、基地局から送信されたダウンリンクデータを受信するように構成される受信モジュールと、
前記確定モジュールにより確定された前記Ｍ個の時間単位における第一の時間単位で、前記基地局へ前記Ｎ個の時間単位における先頭のＫ個の時間単位のダウンリンクデータに対応するフィードバック情報を送信するように構成され、ここで、ＫがＮ以下の正整数であり、前記第一の時間単位が前記先頭のＫ個の時間単位の後に位置し、前記第一の時間単位の開始時点と前記先頭のＫ個の時間単位における最後の時間単位の開始時点との差がシステムのフィードバック処理遅延以上である送信モジュールとを含み、
前記受信モジュールはさらに前記基地局から送信された別のシグナリングを受信するように構成され、前記別のシグナリングは、前記Ｎ個の時間単位におけるＫ番目の時間単位の後の時間単位のダウンリンクデータに対応するフィードバック情報の送信方式を指示し、
前記送信モジュールはさらに前記別のシグナリングによって指示される送信方式に基づいて前記Ｎ個の時間単位におけるＫ番目の時間単位の後の時間単位のダウンリンクデータに対応するフィードバック情報を前記基地局に送信するように構成される、前記端末。
【請求項１２】
基地局であって、
前記アンライセンス搬送波におけるアップリンク伝送のためのＭ個の時間単位と前記アンライセンス搬送波におけるダウンリンク伝送のためのＮ個の時間単位を確定するように構成され、ここで、Ｍが正整数であり、Ｎが正整数である確定モジュールと、
前記確定モジュールにより確定された前記Ｎ個の時間単位で、端末へダウンリンクデータを送信するように構成される送信モジュールと、
前記確定モジュールにより確定された前記Ｍ個の時間単位における第一の時間単位で、前記端末から送信された前記Ｎ個の時間単位における先頭のＫ個の時間単位のダウンリンクデータに対応するフィードバック情報を受信するように構成され、ここで、ＫがＮ以下の正整数であり、前記第一の時間単位が前記先頭のＫ個の時間単位の後に位置し、前記第一の時間単位の開始時点と前記先頭のＫ個の時間単位における最後の時間単位の開始時点との差がシステムのフィードバック処理遅延以上である受信モジュールとを含み、
前記送信モジュールはさらに前記端末に別のシグナリングを送信するように構成され、前記別のシグナリングは、前記Ｎ個の時間単位におけるＫ番目の時間単位の後の時間単位のダウンリンクデータに対応するフィードバック情報の送信方式を指示し、
前記受信モジュールはさらに前記端末から送信された前記Ｎ個の時間単位におけるＫ番目の時間単位の後の時間単位のダウンリンクデータに対応するフィードバック情報を受信する、前記基地局。
【発明の詳細な説明】
【技術分野】
【０００１】
本発明は通信分野に関し、且つより具体的には、データ伝送方法、端末及び基地局に関する。
【背景技術】
【０００２】
長期進化型（ＬＴＥ：Ｌｏｎｇ  Ｔｅｒｍ  Ｅｖｏｌｕｔｉｏｎ）システムにおける物理ダウンリンク共有チャネル（ＰＤＳＣＨ：Ｐｈｙｓｉｃａ１  Ｄｏｗｎ１ｉｎｋ  Ｓｈａｒｅ  Ｃｈａｎｎｅ１）はハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）機能をサポートする。端末は基地局と通信接続を確立した後、ダウンリンク制御シグナリング（ＤＣＩ：Ｄｏｗｎ１ｉｎｋ  Ｃｏｎｔｒｏ１  Ｉｎｆｏｒｍａｔｉｏｎ）を受信し、ＰＤＳＣＨに対応するスケジューリング情報（例えば、物理リソース位置及び数量、変調符号化レベルなどの内容を含むことができる）を取得する。端末はスケジューリング情報に基づいてＰＤＳＣＨを受信し、その中に搬送された伝送ブロック（ＴＢ：Ｔｒａｎｓｐｏｒｔ  Ｂｌｏｃｋ）を復調し、復号する。復号結果が正確である場合、端末は基地局へＡＣＫ（Ａｃｋｎｏｗｌｅｄｇｅｍｅｎｔ）情報をフィードバックすることができる。復号結果がエラーである場合、基地局が該ＴＢを再送するように、端末は基地局へＮＡＣＫ（Ｎｅｇａｔｉｖｅ  Ａｃｋｎｏｗｌｅｄｇｍｅｎｔ）情報をフィードバックすることができる。
【０００３】
ＡＣＫ情報又はＮＡＣＫ情報は物理アップリンク共有チャネル（ＰＵＳＣＨ：Ｐｈｙｓｉｃａｌ  Ｕｐｌｉｎｋ  Ｓｈａｒｅ  Ｃｈａｎｎｅｌ）又は物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介して伝送されることができる。
【０００４】
一方、ＬＴＥシステムは、帯域幅の拡張を実現するために、搬送波集約（ＣＡ：Ｃａｒｒｉｅｒ  Ａｇｇｒｅｇａｔｉｏｎ）技術を使用し、即ち複数のＬＴＥ搬送波（ＣＣ：Ｃｏｍｐｏｎｅｎｔ  Ｃａｒｒｉｅｒ）を集約し、より大きな伝送帯域幅を実現することができる。搬送波集約技術に対して、従来技術においてライセンスアシストアクセス（ＬＡＡ：Ｌｉｃｅｎｓｅ  Ａｓｓｉｓｔｅｄ  Ａｃｃｅｓｓ）技術が提供され、ライセンス搬送波とアンライセンス搬送波の集約を実現する。
【０００５】
以降の改善では、アンライセンス搬送波はライセンス搬送波に依存せず独立して動作する可能性があり、即ち端末はアンライセンス搬送波だけで完全なシステム情報の取得、アップリンク及びダウンリンク同期の完了、スケジューリング情報の受信、ダウンリンクデータの受信、アップリンクデータの送信、必要なフィードバック情報の送信などを行うことができる。現在では、どのプロセスでアンライセンス搬送波でＬＴＥシステムの独立した動作を実現するかについて明確な解決策がなかった。ここで、どのようにフィードバック情報を伝送するかに対しても対応する解決策がなかった。
【発明の概要】
【発明が解決しようとする課題】
【０００６】
本発明の実施例はデータ伝送方法、端末及び基地局を提供し、アンライセンス搬送波でフィードバック情報を伝送することを実現できる。
【課題を解決するための手段】
【０００７】
第一の態様によれば、データ伝送方法が提供され、前記方法は、
前記端末が前記アンライセンス搬送波におけるアップリンク伝送のためのＭ個の時間単位と前記アンライセンス搬送波におけるダウンリンク伝送のためのＮ個の時間単位を確定し、ここで、Ｍが正整数であり、Ｎが正整数であることと、
前記端末が前記Ｎ個の時間単位で、基地局から送信されたダウンリンクデータを受信することと、
前記端末が前記Ｍ個の時間単位における第一の時間単位で、前記基地局へ前記Ｎ個の時間単位における先頭のＫ個の時間単位のダウンリンクデータに対応するフィードバック情報を送信し、ここで、ＫがＮ以下の正整数であり、前記第一の時間単位が前記先頭のＫ個の時間単位の後に位置し、前記第一の時間単位の開始時点と前記先頭のＫ個の時間単位における最後の時間単位の開始時点との差がシステムのフィードバック処理遅延以上であることとを含む。
【０００８】
第一の態様の可能な実施形態において、前記方法は、
前記端末が前記Ｎ個の時間単位の開始時点で指示情報を受信し、前記指示情報がダウンリンク伝送のための前記Ｎ個の時間単位とアップリンク伝送のための前記Ｍ個の時間単位を示すことに用いられることをさらに含む。
【０００９】
第一の態様の可能な実施形態において、前記端末が前記Ｍ個の時間単位における第一の時間単位で、前記基地局へ前記Ｎ個の時間単位における先頭のＫ個の時間単位のダウンリンクデータに対応するフィードバック情報を送信することは、
前記端末が時間単位順番に従って、カスケード配列されたＣ×Ｋビット情報を生成して前記フィードバック情報とし、ここで、Ｃがシステムのダウンリンク伝送によってサポートされる最大コードワード数であること、
前記端末が前記第一の時間単位で、前記基地局へ前記フィードバック情報を送信することを含む。
【００１０】
第二の態様によれば、データ伝送方法が提供され、前記方法は、
前記基地局が前記アンライセンス搬送波におけるアップリンク伝送のためのＭ個の時間単位と前記アンライセンス搬送波におけるダウンリンク伝送のためのＮ個の時間単位を確定し、ここで、Ｍが正整数であり、Ｎが正整数であることと、
前記基地局が前記Ｎ個の時間単位で、端末へダウンリンクデータを送信することと、
前記基地局が前記Ｍ個の時間単位における第一の時間単位で、前記端末から送信された前記Ｎ個の時間単位における先頭のＫ個の時間単位のダウンリンクデータに対応するフィードバック情報を受信し、ここで、ＫがＮ以下の正整数であり、前記第一の時間単位が前記先頭のＫ個の時間単位の後に位置し、前記第一の時間単位の開始時点と前記先頭のＫ個の時間単位における最後の時間単位の開始時点との差がシステムのフィードバック処理遅延以上であることとを含む。
【００１１】
第二の態様の可能な実施形態において、前記方法は、
前記基地局が前記Ｎ個の時間単位の開始時点で端末へ指示情報を送信し、前記指示情報がダウンリンク伝送のための前記Ｎ個の時間単位とアップリンク伝送のための前記Ｍ個の時間単位を示すことに用いられることをさらに含む。
【００１２】
第二の態様の可能な実施形態において、前記フィードバック情報は時間単位順番に従ってカスケード配列されたＣ×Ｋビット情報であり、ここで、Ｃがシステムのダウンリンク伝送によってサポートされる最大コードワード数である。
【００１３】
第二の態様の可能な実施形態において、前記方法は、
前記基地局が前記アップリンク伝送と前記ダウンリンク伝送のためにガード期間を設定することをさらに含む。
【００１４】
第三の態様によれば、端末が提供され、確定モジュール、受信モジュールと送信モジュールを含み、第一の態様と第二の態様の対応する実施形態を実行するように構成される。
【００１５】
第四の態様によれば、端末が提供され、プロセッサ、受信機、送信機とメモリを含み、第一の態様と第二の態様の対応する実施形態を実行するように構成され、且つ第四の態様による端末の各部材が第三の態様による端末の対応するモジュールに対応することができる。
【００１６】
第五の態様によれば、基地局が提供され、確定モジュール、送信モジュールと受信モジュールを含み、第一の態様と第二の態様の対応する実施形態を実行するように構成される。
【００１７】
第六の態様によれば、基地局が提供され、プロセッサ、受信機、送信機とメモリを含み、第一の態様と第二の態様の対応する実施形態を実行するように構成され、且つ第六の態様による基地局の各部材が第五の態様による基地局の対応するモジュールに対応することができる。
【００１８】
第一の態様〜第六の態様及び対応する実施形態において、可能な解決策として前記第一の時間単位が前記Ｍ個の時間単位における最後の時間単位である。
【００１９】
第一の態様〜第六の態様及び対応する実施形態において、別の可能な解決策として前記Ｍ個の時間単位の長さが前記フィードバック処理遅延以上である場合、前記第一の時間単位が前記Ｎ個の時間単位における最後の時間単位を基準とする、前記フィードバック処理遅延後の一番目の時間単位であり、
前記Ｍ個の時間単位の長さが前記フィードバック処理遅延より小さい場合、前記第一の時間単位が前記Ｍ個の時間単位における最後の時間単位である。
【００２０】
ここで、前記ダウリンクデータはブロードキャスト情報、同期信号、基準信号、ダウンリンク制御シグナリングとダウンリンクサービスデータのうちの少なくとも一つを含む。
【００２１】
ここで、前記ダウンリンク制御シグナリングはスケジューリング情報を含み、前記スケジューリング情報が前記Ｍ個の時間単位のアップリンク伝送をスケジューリングすることに用いられる。
【００２２】
可能な解決策として、前記Ｎ個の時間単位におけるアップリンク伝送スケジューリングのための各時間単位で送信されたスケジューリング情報は前記Ｍ個の時間単位における一つの時間単位のアップリンク伝送をスケジューリングすることに用いられる。
【００２３】
別の可能な解決策として、前記Ｎ個の時間単位におけるアップリンク伝送スケジューリングのための各時間単位で送信されたスケジューリング情報は前記Ｍ個の時間単位における複数の時間単位のアップリンク伝送をスケジューリングすることに用いられる。
【００２４】
好ましくは、前記時間単位はサブフレーム又はタイムスロットであってもよい。
【００２５】
好ましくは、Ｍ個の時間単位は連続している時間単位であり、Ｎ個の時間単位は連続している時間単位であり、且つＮ個の時間単位とＭ個の時間単位は連続している時間単位であり、Ｎ個の時間単位はＭ個の時間単位の前に位置する。
【００２６】
上記技術的解決策に基づき、本発明の実施例におけるデータ伝送方法、端末及び基地局では、アンライセンス搬送波で独立して動作するシーンでフィードバック情報を伝送する実行可能な方法が提供され、且つアップリンク伝送のための一つの時間単位内でダウンリンク伝送のための複数の時間単位に対応するフィードバック情報を送信することにより、フィードバックの効率を向上させることができる。
【図面の簡単な説明】
【００２７】
【図１】ＬＴＥ搬送波集約技術の模式図である。
【図２】本発明の一つの実施例におけるフィードバック情報を伝送する時間単位の模式図である。
【図３】本発明の別の実施例におけるフィードバック情報を伝送する時間単位の模式図である。
【図４】本発明の別の実施例におけるフィードバック情報を伝送する時間単位の模式図である。
【図５】本発明の別の実施例におけるフィードバック情報を伝送する時間単位の模式図である。
【図６】本発明の別の実施例におけるフィードバック情報を伝送する時間単位の模式図である。
【図７】本発明の別の実施例におけるフィードバック情報を伝送する時間単位の模式図である。
【図８】本発明の別の実施例におけるフィードバック情報を伝送する時間単位の模式図である。
【図９】本発明の一つの実施例におけるデータ伝送方法の模式的なフローチャートである。
【図１０】本発明の別の実施例におけるデータ伝送方法の模式的なフローチャートである。
【図１１】本発明の一つの実施例における端末の模式的なブロック図である。
【図１２】本発明の別の実施例における端末の模式的なブロック図である。
【図１３】本発明の一つの実施例における基地局の模式的なブロック図である。
【図１４】本発明の別の実施例における基地局の模式的なブロック図である。
【発明を実施するための形態】
【００２８】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００２９】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００３０】
本明細書に使用される用語「部材」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、部材はプロセッサで実行されているプロセス、プロセッサ、オブジェクト、実行可能ファイル、実行スレッド、プログラム及び/又はコンピュータであってもよいがこれらに限定されない。図面に示すように、コンピューティングデバイスで実行されているアプリケーションとコンピューティングデバイスは部材であってもよい。一つ以上の部材はプロセス及び／又は実行スレッドに駐在でき、部材は一つのコンピュータに位置し又は２つ以上のコンピュータの間に分布することができる。また、これらの部材は様々なデータ構造を記憶した上記の様々なコンピュータ可読媒体で実行されてもよい。部材は例えば一つ以上のデータグループ（例えばローカルシステム、分散型システム及び／又はネットワーク間の別の部材とインタラクションを行う二つの部材からのデータ、例えば信号により他のシステムとインタラクションを行うインターネット）を有する信号に基づいてローカル及び／又は遠隔プロセスにより通信することができる。
【００３１】
理解すべきものとして、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに応用されることができる。
【００３２】
本発明の各実施例を端末と組み合わせて説明する。端末は無線アクセスネットワーク（ＲＡＮ：Ｒａｄｉｏ  Ａｃｃｅｓｓ  Ｎｅｔｗｏｒｋ）を介して一つ以上のコアネットワークと通信することができ、端末はユーザ装置（ＵＥ：Ｕｓｅｒ  Ｅｑｕｉｐｍｅｎｔ）、アクセス端末、加入者ユニット、加入者サイト、移動サイト、移動局、遠隔局、遠隔端末、移動装置、ユーザ端末、端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末などであってもよい。
【００３３】
本発明は基地局と組み合わせて各実施例を説明する。基地局は端末と通信するためのデバイスであってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局は中継局、アクセスポイント、車載デバイス、ウェアラブルデバイス及び将来の５Ｇネットワークにおけるネットワーク側デバイスなどであってもよい。
【００３４】
以下に本発明の実施例に係る関連技術及び概念を簡単に説明する。
【００３５】
搬送波集約技術
通信技術の発展に伴い、ＬＴＥ技術から長期進化技術アップグレード（ＬＴＥ−Ａｄｖａｎｃｅｄ、ＬＴＥ−Ａ）技術が進化する。ＬＴＥ−Ａのリリース１０（Ｒｅｌｅａｓｅ１０）システムにおいて、ＣＡ技術を使用して帯域幅拡張を実現し、即ち、図１に示す最大５個のＬＴＥ搬送波ＣＣ１〜ＣＣ５を集約し、最大１００ＭＨｚの伝送帯域幅を実現することができる。端末の能力及びそれが伝送するデータ量に応じて、基地局は各端末に対してそれが集約して伝送する搬送波の数量を設定することができ、集約された搬送波はメンバ搬送波と呼ばれてもよい。
【００３６】
一つの端末に対して、集約された複数のメンバー搬送波は以下を含む。（１）主搬送波（ＰＣｅｌｌ：Ｐｒｉｍａｒｙ  Ｃｅｌｌ）であって、主搬送波が一つだけであり、端末が主搬送波で初期接続確立プロセス又は開始接続再確立プロセスを行い、端末が主搬送波のみでＰＤＣＣＨの共通検索スペースを受信し、且つ端末が主搬送波のみでＰＵＣＣＨを送信する。（２）副搬送波（ＳＣｅｌｌ：Ｓｅｃｏｎｄａｒｙ  Ｃｅｌｌ）であって、主搬送波以外のメンバー搬送波が全て副搬送波であり、端末が副搬送波でＤＣＩ、ＰＤＳＣＨを受信し、且つ副搬送波でＰＵＳＣＨを送信することができる。
【００３７】
本発明の実施例における方法、端末及び基地局は、ライセンス搬送波を使用せず、アンライセンス搬送波を独立して使用して動作するシーン（以下にこのシーンを例として説明する）に応用されてもよく、また上記搬送波集約シーンに応用されてもよく、本発明の実施例においてこれに限定されない。
【００３８】
ＡＣＫ情報又はＮＡＣＫ情報のフィードバック
端末は基地局と通信接続を確立した後、ＤＣＩを受信し、ＰＤＳＣＨに対応するスケジューリング情報（例えば、物理リソース位置及び数量、変調符号化レベルなどの内容を含むことができる）を取得する。端末はスケジューリング情報に基づいてＰＤＳＣＨを受信し、且つ、その中に搬送されたＴＢを復調し、復号する。復号結果が正確である場合、端末は基地局へＡＣＫ情報をフィードバックすることができる。復号結果がエラーである場合、基地局が該ＴＢを再送するように、端末は基地局へＮＡＣＫ情報をフィードバックすることができる。
【００３９】
ＡＣＫ情報又はＮＡＣＫ情報は物理アップリンク共有チャネル（ＰＵＳＣＨ：Ｐｈｙｓｉｃａｌ  Ｕｐｌｉｎｋ  Ｓｈａｒｅ  Ｃｈａｎｎｅｌ）又は物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介して伝送されることができる。端末がアップリンクサブフレームにおいてＰＵＳＣＨ伝送しない場合、該サブフレームにおいて伝送されたＡＣＫ情報又はＮＡＣＫはＰＵＣＣＨのみを介して伝送されることができる。
【００４０】
理解すべきものとして、本明細書で呼ばれるフィードバック情報はＡＣＫ情報及び／又はＮＡＣＫ情報を含むことができる。
【００４１】
ライセンス搬送波を使用せず、アンライセンス搬送波を独立して使用して動作するシーンでは、基地局と端末はアンライセンス搬送波におけるアップリンク伝送のためのＭ個の時間単位とアンライセンス搬送波におけるダウンリンク伝送のためのＮ個の時間単位で動作し、ここで、Ｍが正整数であり、Ｎが正整数である。
【００４２】
理解すべきものとして、本発明の実施例において、時間単位はフレーム、サブフレーム、タイムスロット、さらには記号であってもよく、本発明の実施例において限定されない。好ましくは、時間単位はサブフレーム又はタイムスロットである。
【００４３】
好ましい設計として、Ｍ個の時間単位が連続している時間単位であり、Ｎ個の時間単位が連続している時間単位であり、且つＮ個の時間単位とＭ個の時間単位が連続している時間単位であり、Ｎ個の時間単位がＭ個の時間単位の前に位置する。当然ながら、本発明の実施例においてこれに限定されない。
【００４４】
本発明の実施例において、Ｍ個の時間単位とＮ個の時間単位は基地局と端末が予め約束されたものであってもよい。より好ましくは、ＭとＮは基地局が確定し且つ端末に通知するものであってもよい。
【００４５】
具体的には、基地局はアンライセンス搬送波がアイドル状態にあることを確定した後、アンライセンス搬送波を占用してデータ伝送を行う。基地局は送信すべきサービス量に基づき、今回の伝送中のダウンリンク伝送に占用される時間長さがＮ個の時間単位であり、アップリンク伝送に占用される時間長さがＭ個の時間単位であることを確定する。基地局はＮ個の時間単位の開始時点で端末へ指示情報を送信することができ、該指示情報がダウンリンク伝送のためのＮ個の時間単位とアップリンク伝送のためのＭ個の時間単位を示すことに用いられる。これに対応して、端末はＮ個の時間単位の開始時点で該指示情報を受信する。
【００４６】
上述したように、予め約束されても基地局を介して通知されても、端末と基地局はまずアンライセンス搬送波におけるアップリンク伝送のためのＭ個の時間単位とアンライセンス搬送波におけるダウンリンク伝送のためのＮ個の時間単位を確定する。
【００４７】
次に、基地局はＮ個の時間単位で、端末へダウンリンクデータを送信する。該ダウンリンクデータはブロードキャスト情報、同期信号、基準信号、ダウンリンク制御シグナリングとダウンリンクサービスデータのうちの少なくとも一つを含むことができる。
【００４８】
一つの実施例において、ダウンリンク制御シグナリングはスケジューリング情報を含むことができ、該スケジューリング情報はＭ個の時間単位のアップリンク伝送をスケジューリングすることに用いられる。ここで、図２に示すように、Ｎ個の時間単位におけるアップリンク伝送スケジューリングのための各時間単位で送信されたスケジューリング情報は、Ｍ個の時間単位における一つの時間単位のアップリンク伝送をスケジューリングすることに用いられてもよい。図３に示すように、Ｎ個の時間単位におけるアップリンク伝送スケジューリングのための各時間単位で送信されたスケジューリング情報は、Ｍ個の時間単位における複数の時間単位のアップリンク伝送をスケジューリングすることに用いられてもよい。
【００４９】
言い換えれば、ダウンリンク伝送のための一つの時間単位で送信されたスケジューリング情報は、アップリンク伝送のための一つだけの時間単位内のデータ伝送をスケジューリングしてもよいし、アップリング伝送のための複数の時間単位内のデータ伝送をスケジューリングしても良い。
【００５０】
図２と図３に示す例では、スケジューリング処理遅延はいずれも４個の時間単位長さを例として説明される。従来技術において、スケジューリング処理遅延は一般的に４ｍｓである。時間単位がサブフレームである場合、スケジューリング処理遅延は４個の時間単位に対応する。当然、スケジューリング処理遅延が時間単位の長さと整数倍関係ではない場合、スケジューリングのための時間単位とスケジューリングされた時間単位との時間単位個数差はスケジューリング処理遅延を各時間単位の長さで割った値の切り上げである。
【００５１】
次に、端末は該Ｍ個の時間単位における第一の時間単位で、該基地局へ該Ｎ個の時間単位における先頭のＫ個の時間単位のダウンリンクデータに対応するフィードバック情報を送信し、ＫがＮ以下の正整数であり、該第一の時間単位が該先頭のＫ個の時間単位の後に位置し、該第一の時間単位の開始時点と該先頭のＫ個の時間単位における最後の時間単位の開始時点との差がシステムのフィードバック処理遅延以上である。これに対応して、基地局はＭ個の時間単位における第一の時間単位で、端末から送信されたＮ個の時間単位における先頭のＫ個の時間単位のダウンリンクデータに対応するフィードバック情報を受信する。
【００５２】
また、一つの実施例として、図４と図５に示すように、第一の時間単位は常にＭ個の時間単位における最後の時間単位であってもよい。
【００５３】
具体的には、Ｍ個の時間単位の長さがフィードバック処理遅延以上である場合、ＫはＮに等しい。
【００５４】
図４に示すように、ＭとＮがいずれも５であり、第一の時間単位がＭ個の時間単位における最後の時間単位であり、端末は第一の時間単位でダウンリンク伝送のための全て（５個）の時間単位におけるダウンリンクデータに対応するフィードバック情報を送信することができる。
【００５５】
Ｍ個の時間単位の長さが該フィードバック処理遅延より小さい場合、該Ｍ個の時間単位における最後の時間単位と該先頭のＫ個の時間単位における最後の時間単位との時間単位個数の差は、該フィードバック処理遅延を各時間単位の長さで割った値の切り上げである。
【００５６】
図５に示すように、Ｎが７であり、Ｍが３であり、第一の時間単位がＭ個の時間単位における最後の時間単位であり、端末は第一の時間単位で、ダウンリンク伝送のための先頭の６個の時間単位におけるダウンリンクデータに対応するフィードバック情報を送信することができる。ダウンリンク伝送のための７番目の時間単位におけるダウンリンクデータに対応するフィードバック情報は他の方式、例えば、別のシグナリングを送信すること又は他のスケジューリング方式などにより伝送されてもよく、本発明の実施例において限定されない。
【００５７】
また、別の実施例として、図６と図５に示すように、Ｍ個の時間単位の長さが該フィードバック処理遅延以上である場合、第一の時間単位は該Ｎ個の時間単位における最後の時間単位を基準とする、フィードバック処理遅延後の一番目の時間単位であり、Ｍ個の時間単位の長さが該フィードバック処理遅延より小さい場合、第一の時間単位はＭ個の時間単位における最後の時間単位である。
【００５８】
Ｍ個の時間単位の長さが該フィードバック処理遅延以上である場合、図６に示すように、ＭとＮがいずれも５であり、第一の時間単位がＭ個の時間単位における４番目の時間単位であり、ここで、Ｍ個の時間単位における４番目の時間単位はＮ個の時間単位における最後の時間単位を基準とする、フィードバック処理遅延後の１番目の時間単位である。端末は第一の時間単位で、ダウンリンク伝送のための全て（５個）の時間単位におけるダウンリンクデータに対応するフィードバック情報を送信することができる。
【００５９】
Ｍ個の時間単位の長さが該フィードバック処理遅延より小さい場合、図５に示すように、Ｎが７であり、Ｍが３であり、第一の時間単位がＭ個の時間単位における最後の時間単位である。具体的な処理は前の実施例の処理方式と類似するため、ここでは説明を省略する。
【００６０】
理解すべきものとして、上記の二つの実施例において、フィードバック処理遅延はいずれも４個の時間単位長さを例として説明される。従来技術において、フィードバック処理遅延は一般的に４ｍｓである。時間単位がサブフレームである場合、フィードバック処理遅延は４個の時間単位に対応する。当然、フィードバック処理遅延が時間単位の長さと整数倍関係ではない場合、フィードバックのための第一の時間単位とフィードバックされた最後の時間単位との時間単位個数の差は、フィードバック処理遅延を各時間単位の長さで割った値の切り上げである。
【００６１】
本発明の実施例において、端末がＭ個の時間単位における第一の時間単位で、基地局へＮ個の時間単位における先頭のＫ個の時間単位のダウンリンクデータに対応するフィードバック情報を送信することは、
端末が時間単位順番に従ってカスケード配列されたＣ×Ｋビット情報を生成してフィードバック情報とし、ここで、Ｃがシステムのダウンリンク伝送によってサポートされる最大コードワード数であること、
端末が第一の時間単位で、基地局へフィードバック情報を送信することを含むことができる。
【００６２】
具体的には、端末はダウンリンク伝送のためのＮ個の時間単位内でダウンリンクデータを受信し、アップリンク伝送のためのＭ個の時間単位における第一の時間単位で基地局へＣ×Ｋビット情報ＡＣＫ及び／又はＮＡＣＫフィードバック情報を送信する。現在のＬＴＥシステムにおいてＣが１又は２に等しく、それぞれ図７（Ｃが１に等しく、Ｋが６に等しい）と図８（Ｃが２に等しく、Ｋが６に等しい）に示される。ここで、ダウンリンク伝送のための一つの時間単位はＣビットのフィードバック情報に対応し、Ｃ×Ｋビット情報は時間単位順番でカスケード配列される。
【００６３】
端末がダウンリンク伝送のためのある時間単位でダウンリンクデータを受信しない場合、対応する時間単位のフィードバック情報はＮＡＣＫに設定される。Ｃ＝２とし、端末がダウンリンク伝送のためのある時間単位で一つだけのコードワードを受信し、ダウンリンク伝送のための該時間単位に対応するＡＣＫ／ＮＡＣＫ情報の設定は以下の２つの方式がある。
【００６４】
方式１：スケジュールされたコードワードのフィードバック情報はその復号結果に応じてＡＣＫ又はＮＡＣＫに設定され、スケジュールされていないコードワードのフィードバック情報はＮＡＣＫに設定される。
【００６５】
方式２：スケジュールされたコードワードのフィードバック情報はその復号結果に応じてＡＣＫ又はＮＡＣＫに設定され、スケジュールされていないコードワードのフィードバック情報はスケジュールされたコードワードのフィードバック情報と同様に設定される。
【００６６】
本発明の実施例において、基地局はアップリンク伝送とダウンリンク伝送のためにガード期間（ＧＰ：Ｇｕａｒｄ  Ｐｅｒｉｏｄ）を設定することができる。ＧＰの長さはＴｍｓであり、基地局がＮ個の時間単位で、端末へダウンリンクデータを送信することは以下を含むことができる。
【００６７】
方式１において、基地局はＮ個の時間単位で、端末へ該ダウンリンクデータを送信し、ここで、Ｎ個の時間単位における最後の時間単位の最後のＴｍｓが該ダウンリンクデータの送信に用いられない。
【００６８】
具体的には、基地局は自ら制御し、即ち基地局はダウンリンク伝送のためのＮ個の時間単位における最後の時間単位の最後Ｔｍｓでダウンリンクデータを送信しない。端末はＧＰの長さを知る必要がなく、ＧＰが存在しない方式でダウンリンクデータの受信を行い、又は強化型物理ダウンリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に対してブラインド検出を行う。
【００６９】
方式２において、基地局はＮ個の時間単位で、端末へダウンリンクデータを送信し、Ｎ個の時間単位における最後の時間単位の最後のＬ個の記号がダウンリンクデータの送信に用いられず、Ｌ個の記号の長さがＴｍｓ以上であり、Ｌ個の記号の長さがＴｍｓより大きい場合、Ｌ個の記号における最後のＴｍｓ以外の時間はプレースホルダを送信することに用いられる。
【００７０】
具体的には、基地局はダウンリンク伝送のためのＮ個のダウンリンク時間単位における最後の時間単位内の最後のＬ個の記号がダウンリンクデータの伝送に用いられないことを確定し、ここで、ＰＤＳＣＨ、ＥＰＤＣＣＨの伝送を含み、Ｌ個の記号の時間長さがＴｍｓ以上である。基地局はＬの値を端末に通知する。Ｌ個の記号の時間長さがＴｍｓより大きい場合、基地局はＬ個の記号における先頭のセグメントにプレースホルダを送信し、チャネルの占有を回避する。
【００７１】
理解すべきものとして、本発明の実施例において端末がＭ個の時間単位でアップリンクデータ伝送を行う具体的なプロセスが説明されない。該アップリンク伝送プロセスは従来のアンライセンス搬送波のアップリンク伝送プロセスと類似する。アップリンクデータはアップリンクサービスデータ、アップリンク制御シグナリング、検出信号、同期プリアンブル（Ｐｒｅａｍｂｌｅ）シーケンスなどを含むことができ、本明細書で説明を省略する。
【００７２】
本発明の実施例におけるデータ伝送方法では、アンライセンス搬送波が独立して動作するシーンでデータを伝送する実行可能な方法が提供され、これによりアンライセンス搬送波の応用範囲を広げ、且つアップリンク伝送のための一つの時間単位内でダウンリンク伝送のための複数の時間単位に対応するフィードバック情報を送信し、それによってフィードバックの効率を向上させることができる。
【００７３】
以上、本発明の実施例の完全なプロセスについて説明され、以下に、それぞれ端末と基地局から本発明の実施例におけるデータ伝送方法を説明する。
【００７４】
図９に本発明の一つの実施例におけるデータ伝送方法１００が示される。方法１００は端末によって実行され、
端末が該アンライセンス搬送波におけるアップリンク伝送のためのＭ個の時間単位と該アンライセンス搬送波におけるダウンリンク伝送のためのＮ個の時間単位を確定し、ここで、Ｍが正整数であり、Ｎが正整数であるＳ１１０と、
端末が該Ｎ個の時間単位で、該基地局から送信されたダウンリンクデータを受信するＳ１２０と、
端末が該Ｍ個の時間単位における第一の時間単位で、該基地局へ該Ｎ個の時間単位における先頭のＫ個の時間単位のダウンリンクデータに対応するフィードバック情報を送信し、ここで、ＫがＮ以下の正整数であり、該第一の時間単位が該先頭のＫ個の時間単位の後に位置し、該第一の時間単位の開始時点と該先頭のＫ個の時間単位における最後の時間単位の開始時点との差がシステムのフィードバック処理遅延以上であるＳ１３０とを含む。
【００７５】
本発明の実施例におけるデータ伝送方法では、アンライセンス搬送波が独立して動作するシーンでフィードバック情報を伝送する実行可能な方法が提供され、且つアップリンク伝送のための一つの時間単位内でダウンリンク伝送のための複数の時間単位に対応するフィードバック情報を送信し、これによりフィードバックの効率を向上させることができる。
【００７６】
また、一つの実施例として、Ｓ１１０の前に、方法１００は、
端末が該Ｎ個の時間単位の開始時点で指示情報を受信し、該指示情報がダウンリンク伝送のための該Ｎ個の時間単位とアップリンク伝送のための該Ｍ個の時間単位を示すことに用いられることをさらに含むことができる。
【００７７】
また、一つの実施例として、端末が該Ｍ個の時間単位における第一の時間単位で、該基地局へ該Ｎ個の時間単位における先頭のＫ個の時間単位のダウンリンクデータに対応するフィードバック情報を送信するＳ１３０は、
端末が時間単位順番に従ってカスケード配列されたＣ×Ｋビット情報を生成して該フィードバック情報とし、ここで、Ｃがシステムのダウンリンク伝送によってサポートされる最大コードワード数であること、
端末が該第一の時間単位で、該基地局へ該フィードバック情報を送信することを含むことができる。
【００７８】
図１０に本発明の別の実施例におけるデータ伝送方法２００が示される。方法２００は基地局によって実行され、
基地局が該アンライセンス搬送波におけるアップリンク伝送のためのＭ個の時間単位と該アンライセンス搬送波におけるダウンリンク伝送のためのＮ個の時間単位を確定し、ここで、Ｍが正整数であり、Ｎが正整数であるＳ２１０と、
基地局が該Ｎ個の時間単位で、該端末へダウンリンクデータを送信するＳ２２０と、
基地局が該Ｍ個の時間単位における第一の時間単位で、該端末から送信された該Ｎ個の時間単位における先頭のＫ個の時間単位のダウンリンクデータに対応するフィードバック情報を受信し、ここで、ＫがＮ以下の正整数であり、該第一の時間単位が該先頭のＫ個の時間単位の後に位置し、該第一の時間単位の開始時点と該先頭のＫ個の時間単位における最後の時間単位の開始時点との差がシステムのフィードバック処理遅延以上であるＳ２３０とを含む。
【００７９】
本発明の実施例におけるデータ伝送方法では、アンライセンス搬送波が独立して動作するシーンでフィードバック情報を伝送する実行可能な方法が提供され、且つアップリンク伝送のための一つの時間単位内でダウンリンク伝送のための複数の時間単位に対応するフィードバック情報を送信し、これによりフィードバックの効率を向上させることができる。
【００８０】
また、一つの実施例として、Ｓ２１０の後、方法２００は、
基地局が該Ｎ個の時間単位の開始時点で端末へ指示情報を送信し、該指示情報がダウンリンク伝送のための該Ｎ個の時間単位とアップリンク伝送のための該Ｍ個の時間単位を示すことに用いられることをさらに含むことができる。
【００８１】
また、一つの実施例として、フィードバック情報は時間単位順番に従ってカスケード配列されたＣ×Ｋビット情報であり、ここで、Ｃがシステムのダウンリンク伝送によってサポートされる最大コードワード数である。
【００８２】
また、一つの実施例として、方法２００は、
基地局が該アップリンク伝送と該ダウンリンク伝送のためにガード期間を設定することをさらに含むことができる。
【００８３】
また、該ガード期間の長さがＴｍｓであり、基地局が該Ｎ個の時間単位で、該端末へダウンリンクデータを送信するＳ２２０は、
該基地局が該Ｎ個の時間単位で、該端末へ該ダウンリンクデータを送信し、ここで、該Ｎ個の時間単位における最後の時間単位の最後のＴｍｓが該ダウンリンクデータの送信に用いられないこと、
又は、該基地局が該Ｎ個の時間単位で、該端末へ該ダウンリンクデータを送信し、該Ｎ個の時間単位における最後の時間単位の最後のＬ個の記号が該ダウンリンクデータの送信に用いられず、該Ｌ個の記号の長さがＴｍｓ以上であり、Ｌ個の記号の長さがＴ  ｍｓより大きい場合、Ｌ個の記号における最後のＴｍｓ以外の時間がプレースホルダを送信することに用いられ、基地局がＬの値を端末に通知することを含む。
【００８４】
理解すべきものとして、本発明の様々な実施例において、上記各プロセスの番号の大きさは実行順番を意味するものではなく、各プロセスの実行順番はその機能と内部ロジックによって確定されるべきであるが、本発明の実施形態の実施プロセスに対していかなる限定を構成するものではない。
【００８５】
以上、本発明の実施例におけるデータ伝送方法について詳細に説明され、以下に本発明の実施例におけるデータを伝送する端末装置と基地局を説明する。
【００８６】
図１１に本発明の一つの実施例における端末３００が示される。端末３００は、
該アンライセンス搬送波におけるアップリンク伝送のためのＭ個の時間単位と該アンライセンス搬送波におけるダウンリンク伝送のためのＮ個の時間単位を確定するように構成され、ここで、Ｍが正整数であり、Ｎが正整数である確定モジュール３１０と、
該確定モジュール３１０により確定された該Ｎ個の時間単位で、該基地局から送信されたダウンリンクデータを受信するように構成される受信モジュール３２０と、
該確定モジュール３１０により確定された該Ｍ個の時間単位における第一の時間単位で、該基地局へ該Ｎ個の時間単位における先頭のＫ個の時間単位のダウンリンクデータに対応するフィードバック情報を送信するように構成され、ここで、ＫがＮ以下の正整数であり、該第一の時間単位が該先頭のＫ個の時間単位の後に位置し、該第一の時間単位の開始時点と該先頭のＫ個の時間単位における最後の時間単位の開始時点との差がシステムのフィードバック処理遅延以上である送信モジュール３３０とを含む。
【００８７】
また、一つの実施例として、該受信モジュール３２０はさらに、
該Ｎ個の時間単位の開始時点で指示情報を受信するように構成されてもよく、該指示情報がダウンリンク伝送のための該Ｎ個の時間単位とアップリンク伝送のための該Ｍ個の時間単位を示すことに用いられる。
【００８８】
また、一つの実施例として、該送信モジュール３３０は具体的に、
時間単位順番に従ってカスケード配列されたＣ×Ｋビット情報を生成して該フィードバック情報とし、ここで、Ｃがシステムのダウンリンク伝送によってサポートされる最大コードワード数であり、
該第一の時間単位で、該基地局へ該フィードバック情報を送信するように構成されてもよい。
【００８９】
注意すべきものとして、本発明の実施例において、受信モジュール３２０は受信機によって実現されてもよく、送信モジュール３３０は送信機によって実現されてもよく、確定モジュール３１０はプロセッサによって実現されてもよい。図１２に示すように、端末４００はプロセッサ４１０、受信機４２０、送信機４３０とメモリ４４０を含むことができる。ここで、メモリ４４０はプロセッサ４１０で実行されるコードなどを記憶することに用いられてもよい。
【００９０】
端末４００の各部材はバスシステム４５０を介して結合され、バスシステム４５０はデータバスに加えて、電源バス、制御バスと状態信号バスを含む。
【００９１】
図１１に示す端末３００又は図１２に示す端末４００は前記図１〜図１０の実施例におおいて実現される各プロセスを実現することができるため、繰り返しを回避するために、ここでは説明を省略する。
【００９２】
注意すべきものとして、本発明の上記方法の実施例はプロセッサに応用されてもよく、又はプロセッサによって実現されてもよい。プロセッサは集積回路チップであってもよく、信号処理機能を備える。実現プロセスにおいて、上記方法の実施例における各ステップはプロセッサにおけるハードウェアの集積ロジック回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェア部材であってもよい。本発明の実施例において開示される各方法、ステップ及びロジックブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【００９３】
本発明の実施例におけるメモリは揮発性記憶装置又は不揮発性記憶装置であってもよく、又は揮発性記憶装置及び不揮発性記憶装置両者を含むことができることが理解できる。
ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ
ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【００９４】
図１３に本発明の一つの実施例における基地局５００が示される。基地局５００は、
該アンライセンス搬送波におけるアップリンク伝送のためのＭ個の時間単位と該アンライセンス搬送波におけるダウンリンク伝送のためのＮ個の時間単位を確定するように構成され、ここで、Ｍが正整数であり、Ｎが正整数である確定モジュール５１０と、
該確定モジュール５１０により確定された該Ｎ個の時間単位で、端末へダウンリンクデータを送信するように構成される送信モジュール５２０と、
該確定モジュール５１０により確定された該Ｍ個の時間単位における第一の時間単位で、該端末から送信された該Ｎ個の時間単位における先頭のＫ個の時間単位のダウンリンクデータに対応するフィードバック情報を受信するように構成され、ここで、ＫがＮ以下の正整数であり、該第一の時間単位が該先頭のＫ個の時間単位の後に位置し、該第一の時間単位の開始時点と該先頭のＫ個の時間単位における最後の時間単位の開始時点との差がシステムのフィードバック処理遅延以上である受信モジュール５３０とを含む。
【００９５】
また、一つの実施例として、該送信モジュール５２０はさらに、
該Ｎ個の時間単位の開始時点で端末へ指示情報を送信するように構成されてもよく、該指示情報がダウンリンク伝送のための該Ｎ個の時間単位とアップリンク伝送のための該Ｍ個の時間単位を示すことに用いられる。
【００９６】
また、一つの実施例として、該フィードバック情報は時間単位順番でカスケード配列されたＣ×Ｋビット情報であってもよく、ここで、Ｃがシステムのダウンリンク伝送によってサポートされる最大コードワード数である。
【００９７】
また、一つの実施例として、基地局５００は、
該アップリンク伝送と該ダウンリンク伝送のためにガード期間を設定するように構成される設定モジュールをさらに含むことができる。
【００９８】
注意すべきものとして、本発明の実施例において、受信モジュール５３０は受信機によって実現されてもよく、送信モジュール５２０は送信機によって実現されてもよく、確定モジュール５１０はプロセッサによって実現されてもよい。図１４に示すように、基地局６００はプロセッサ６１０、受信機６２０、送信機６３０とメモリ６４０を含むことができる。ここで、メモリ６４０はプロセッサ６１０で実行されるコードなどを記憶することに用いられてもよい。
【００９９】
基地局６００の各部材はバスシステム６５０を介して結合され、バスシステム６５０はデータバスに加えて、電源バス、制御バスと状態信号バスを含む。
【０１００】
図１３に示す基地局５００又は図１４に示す基地局６００は前記図１〜図１０の実施例におおいて実現される各プロセスを実現することができるため、繰り返しを回避するために、ここでは説明を省略する。
【０１０１】
また、本発明の実施例における各方法、端末及び基地局では、一つの実施例として、該第一の時間単位は該Ｍ個の時間単位における最後の時間単位である。
【０１０２】
また、本発明の実施例における各方法、端末及び基地局では、別の実施例として、該Ｍ個の時間単位の長さが該フィードバック処理遅延以上である場合、該第一の時間単位は該Ｎ個の時間単位における最後の時間単位を基準とする、該フィードバック処理遅延後の一番目の時間単位であり、該Ｍ個の時間単位の長さが該フィードバック処理遅延より小さい場合、該第一の時間単位は該Ｍ個の時間単位における最後の時間単位である
また、本発明の実施例における各方法、端末及び基地局では、該ダウンリンクデータはブロードキャスト情報、同期信号、基準信号、ダウンリンク制御シグナリングとダウンリンクサービスデータのうちの少なくとも一つを含む。
【０１０３】
また、本発明の実施例における各方法、端末及び基地局では、該ダウンリンク制御シグナリングはスケジューリング情報を含み、該スケジューリング情報が該Ｍ個の時間単位のアップリンク伝送をスケジューリングすることに用いられる。
【０１０４】
また、本発明の実施例における各方法、端末及び基地局では、該Ｎ個の時間単位におけるアップリンク伝送スケジューリングのための各時間単位で送信されたスケジューリング情報は該Ｍ個の時間単位における一つの時間単位のアップリンク伝送をスケジューリングすることに用いられる。
【０１０５】
また、本発明の実施例における各方法、端末及び基地局では、該Ｎ個の時間単位におけるアップリンク伝送スケジューリングのための各時間単位で送信されたスケジューリング情報は該Ｍ個の時間単位における複数の時間単位のアップリンク伝送をスケジューリングすることに用いられる。
【０１０６】
また、本発明の実施例における各方法、端末及び基地局では、該時間単位はサブフレーム又はタイムスロットである。
【０１０７】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１０８】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１０９】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１１０】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてここで、の一部または全てのユニットを選択して本実施例の解決策の目的を達成することができる。
【０１１１】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１１２】
前記機能はソフトウェア機能ユニットの形態で実現され且つ独立した製品として販売または使用される場合，一つのコンピュータ読み取り可能な記憶媒体に格納されてもよい。
このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１１３】
以上は、本発明の最適的な実施例に過ぎず、本発明を制限せず、本分野の当業者に対して、本発明には各種類の変更と変化があり得る。本発明の主旨精神と原則以内で、いかなる改修、同等入れ替わり、改良等が、本発明の保護範囲以内に含まれるべきである。
【図１】
2020022167.tif 000003
【図２】
2020022167.tif 000004
【図３】
2020022167.tif 000005
【図４】
2020022167.tif 000006
【図５】
2020022167.tif 000007
【図６】
2020022167.tif 000008
【図７】
2020022167.tif 000009
【図８】
2020022167.tif 000010
【図９】
2020022167.tif 000011
【図１０】
2020022167.tif 000012
【図１１】
2020022167.tif 000013
【図１２】
2020022167.tif 000014
【図１３】
2020022167.tif 000015
【図１４】
2020022167.tif 000016